【手続補正書】
【提出日】平成25年4月4日(2013.4.4)
【手続補正１】
【補正対象書類名】明細書
【補正対象項目名】発明の名称
【補正方法】変更
【補正の内容】
【発明の名称】原稿読取装置
【手続補正２】
【補正対象書類名】明細書
【補正対象項目名】０００１
【補正方法】変更
【補正の内容】
【０００１】
本発明は、搬送されている原稿を読み取る原稿読取装置に関する。
【手続補正３】
【補正対象書類名】明細書
【補正対象項目名】０００９
【補正方法】変更
【補正の内容】
【０００９】
本発明は、流し読み位置に付着した異物によって生じた異常画素を高精度に検出し、補正できるようにすることを目的とする。
【手続補正４】
【補正対象書類名】明細書
【補正対象項目名】００１０
【補正方法】変更
【補正の内容】
【００１０】
上記目的を達成するために、請求項１記載の原稿読取装置は、互いに対向するように流し読み位置に設けられた流し読みガラスと基準部材との間に原稿を導いて前記流し読み位置を通過させるように原稿を搬送する原稿搬送手段と、前記原稿が前記流し読み位置を通過する際に、前記流し読みガラスを介して前記原稿を主走査方向に読み取る読取手段とを備える画像読取装置において、前記原稿が前記流し読み位置を通過する前の状態で前記読取手段が前記流し読みガラスを介して前記基準部材を繰り返し読み取ることにより得られた画素値のうち、輝度値が第１の異常画素検出閾値未満である画素を検出し、同一の主走査位置において該検出された画素の数が第１の異常画素判別閾値以上である場合、該主走査位置を検出する第１の異常画素検出手段と、前記読取手段が前記流し読みガラスを介して前記搬送されている原稿の先端領域を読み取ることにより得られた画素値のうち、輝度値が第２の異常画素検出閾値未満である画素を検出し、同一の主走査位置において該検出した画素の数が第２の異常画素判別閾値以上である場合、該主走査位置を検出する第２の異常画素検出手段と、前記第１及び第２の異常画素検出手段の両方において検出された主走査位置に対応する前記原稿の画素値を補正する補正手段とを有することを特徴とする。
【手続補正５】
【補正対象書類名】明細書
【補正対象項目名】００１１
【補正方法】変更
【補正の内容】
【００１１】
上記目的を達成するために、請求項５記載の原稿読取装置は、読み取り位置に原稿を搬送する原稿搬送手段と、前記読み取り位置に搬送された前記原稿を透明部材を介して読み取り、前記読み取られたデータを出力する読取手段と、前記透明部材に対向して配置された基準部材と、前記読取手段が前記透明部材を介して前記基準部材を読み取ることによって得られた第１のデータに基づいて、前記原稿が搬送される方向と直交する方向である主走査方向における異常画素の位置を検出する第１の異常画素検出手段と、前記読取手段が前記透明部材を介して前記原稿の先端領域を読み取ることによって得られた第２のデータと前記第２のデータに対応する前記第１のデータとの差に基づいて、前記主走査方向における異常画素の位置を検出する第２の異常画素検出手段と、前記第１及び第２の異常画素検出手段の両方において異常画素の位置として検出された主走査方向の位置に対応する前記原稿の読み取りデータを補正する補正手段とを有することを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
本発明によれば、流し読み位置に付着した異物によって生じた異常画素を高精度に検出し、補正できるようにすることができる。
【手続補正８】
【補正対象書類名】特許請求の範囲
【補正対象項目名】全文
【補正方法】変更
【補正の内容】
【特許請求の範囲】
【請求項１】
互いに対向するように流し読み位置に設けられた流し読みガラスと基準部材との間に原稿を導いて前記流し読み位置を通過させるように原稿を搬送する原稿搬送手段と、
前記原稿が前記流し読み位置を通過する際に、前記流し読みガラスを介して前記原稿を主走査方向に読み取る読取手段とを備える画像読取装置において、
前記原稿が前記流し読み位置を通過する前の状態で前記読取手段が前記流し読みガラスを介して前記基準部材を繰り返し読み取ることにより得られた画素値のうち、輝度値が第１の異常画素検出閾値未満である画素を検出し、同一の主走査位置において該検出した画素の数が第１の異常画素判別閾値以上である場合、該主走査位置を検出する第１の異常画素検出手段と、
前記読取手段が前記流し読みガラスを介して前記搬送されている原稿の先端領域を読み取ることにより得られた画素値のうち、輝度値が第２の異常画素検出閾値未満である画素を検出し、同一の主走査位置において該検出した画素の数が第２の異常画素判別閾値以上である場合、該主走査位置を検出する第２の異常画素検出手段と、
前記第１及び第２の異常画素検出手段の両方において検出された主走査位置に対応する前記原稿の画素値を補正する補正手段とを有することを特徴とする原稿読取装置。
【請求項２】
前記第１の異常画素検出閾値は前記第２の異常画素検出閾値と異なることを特徴とする請求項１記載の原稿読取装置。
【請求項３】
前記読取手段は複数の色に対応するセンサを有し、
前記第１及び第２の異常画素検出手段及び前記補正手段は、前記複数の色ごとに処理することを特徴とする請求項１又は２記載の原稿読取装置。
【請求項４】
前記第１の異常画素検出手段は、前記第１の主走査位置に対して該検出された画素の輝度値の平均値を算出し、
前記第２の異常画素検出手段は、前記輝度値が第２の異常画素検出閾値未満であり、かつ、前記輝度値と前記平均値との差の絶対値が所定値以下である画素を検出し、同一の主走査位置において該検出した画素の数が第２の異常画素判別閾値以上である場合、該主走査位置を検出することを特徴とする請求項１乃至３のいずれか１項に記載の原稿読取装置。
【請求項５】
読み取り位置に原稿を搬送する原稿搬送手段と、
前記読み取り位置に搬送された前記原稿を透明部材を介して読み取り、前記読み取られたデータを出力する読取手段と、
前記透明部材に対向して配置された基準部材と、
前記読取手段が前記透明部材を介して前記基準部材を読み取ることによって得られた第１のデータに基づいて、前記原稿が搬送される方向と直交する方向である主走査方向における異常画素の位置を検出する第１の異常画素検出手段と、
前記読取手段が前記透明部材を介して前記原稿の先端領域を読み取ることによって得られた第２のデータと前記第２のデータに対応する前記第１のデータとの差に基づいて、前記主走査方向における異常画素の位置を検出する第２の異常画素検出手段と、
前記第１及び第２の異常画素検出手段の両方において異常画素の位置として検出された主走査方向の位置に対応する前記原稿の読み取りデータを補正する補正手段とを有することを特徴とする原稿読取装置。
【請求項６】
前記輝度差は、前記第２のデータと、該第２のデータの前記主走査方向の位置に対応する前記第１のデータの平均値との差であり、
前記第２の異常画素検出手段は、前記第２のデータと第１の閾値との比較結果、及び前記差と前記所定値との比較結果に基づいて、前記主走査方向における異常画素の位置を検出することを特徴とする請求項５記載の原稿読取装置。
【請求項７】
前記読取手段は前記基準部材を繰り返し読み取り、
前記第１の異常画素検出手段は同一の主走査方向における位置に対応する複数の第１のデータのうち、所定値より低い値を有するデータの数をカウントし、該カウントが所定値より大きい場合に、該主走査における位置を前記異常画素の位置として検出することを特徴とする請求項５又は６記載の原稿読取装置。
【請求項８】
前記補正手段は、前記第１及び第２の異常画素検出手段の両方において異常画素の位置として検出された主走査方向の位置に対応する前記原稿の読み取りデータを、該読み取りデータの画素の周辺に位置する画素の読み取りデータを用いて補正することを特徴とする請求項５乃至７のいずれか１項に記載の原稿読取装置。